(57)【要約】【課題】一台の携帯電話機を複数の利用者が利用しても直前の利用者が登録中のサービスを解除、又は変更し忘れることを防ぐことができる。【解決手段】複数の利用者が一台の携帯電話機を使用するときに、利用者が使用者リストに登録されているかどうかを判断し、さらに、登録されている利用者に付加サービス設定内容が保存されているかどうかを判断する。そして、その設定登録内容と現在の登録内容とを比較し、異なるときにはその差分情報を携帯電話機のメモリと交換局のデータベースにそれぞれ登録する。【選択図】　図２
2004147111.tif 000002
【特許請求の範囲】
【請求項１】
基地局を経由して交換局と送受信されるとともに複数の利用者で使用する携帯電話機において、各利用者の使用環境情報が記憶されている記憶手段と、新しく使用する利用者の使用環境情報が現在の使用環境情報と異なる場合にその差分情報を発信する発信手段とを備えたことを特徴とする携帯電話機。
【請求項２】
前記発信手段によって発信要求が行われたときにサービス圏外であった場合、その発信信号を一時的に保留状態にし、サービス圏内に入ったとき保留状態を解除して発信要求を行うよう制御する制御手段を備えたことを特徴とする請求項１記載の携帯電話機。
【請求項３】
前記使用環境情報は転送サービス、発着信規制、通話中着信、電話番号通知等のサービス情報である請求項１または２記載の携帯電話機。
【発明の詳細な説明】
【０００１】
【発明の属する技術分野】本発明は転送サービス、発着信規制、通話中着信、電話番号通知等の付加サービスを個人毎に予め登録しておき、現在の登録状態と異なる付加サービスで利用する場合には、その差分情報を登録するようにした携帯電話機に関する。
【０００２】
【従来の技術】従来の端末装置において、端末装置に複数の識別番号を割当て、交換機にメッセージの蓄積／再生要求が伝達された場合に、該当するメッセージ蓄積手段にメッセージを蓄積／再生するメッセージ蓄積再生手段と、メッセージの蓄積時、該当端末装置に識別番号別のメッセージ蓄積通知信号を伝達する蓄積通知手段とを設け、端末装置に識別番号指定操作を実行した場合に指定識別番号を交換機に送出する識別番号送出手段と、交換機から識別番号送出手段と、交換機から識別番号別のメッセージ蓄積通知信号が伝達された場合に、該当表示を出力する蓄積表示手段とを設けるようにしたことにより、利便性が向上する（例えば、特許文献１参照）。
【０００３】
【特許文献１】特開平６−２４４９４６号公報　（図１）
【０００４】
【発明が解決しようとする課題】
従来の端末装置にあっては、一つの端末装置を複数の利用者が共用する場合であっても各利用者が独立にメッセージを受付／認識することを目的としているに過ぎない。しかしながら、現在の携帯電話機であっては、部或いは課等で複数の利用者が使用する場合であっても転送サービス、発着信規制、通話中着信、電話番号通知等の付加サービスを利用者自身が選択することができる。この場合にはそれぞれの利用者が所望の付加サービスを選択することができるために直前の利用者の登録状態がそのまま引き継がれ、現在の利用者が登録の解除申請をしない限り、その登録状態のままに維持される。例えば、無条件転送を起動状態にしたまま、登録解除をし忘れた場合、その携帯電話機には着信がされず、全て転送されてしまい、業務上又は個人の転送先相手等に多大な迷惑がかかる。このような場合、本人が気付いて登録解除するかまたはその利用者に他の人間が何らかの手段で登録解除を連絡し登録解除させなければならない。着信規制付加サービスの登録解除忘れも同様である。また無線通信によって登録を解除するにはサービス圏内でなければ行えず、利用者がサービス圏外にいる場合は、サービス圏内まで移動してから現在の登録状況を確認し、解除しなければならないため、操作が面倒である。このように、携帯電話機を複数人で使用する場合は、現在の登録状態と個人の所望する設定状態とに違いがあるか確認し、違いがある場合は、利用者が毎回、登録し直していたため、操作が面倒であった。
【０００５】
【課題を解決するための手段】
本発明はこれらの課題を解決するためのものであり、基地局を経由して交換局と送受信されるとともに複数の利用者で使用する携帯電話機において、各利用者の使用環境情報が記憶されている記憶手段と、新しく使用する利用者の使用環境情報が現在の使用環境情報と異なる場合にその差分情報を発信する発信手段とを備えた携帯電話機を提供する。
【０００６】
携帯電話機において、前記発信手段によって発信要求が行われたときにサービス圏外であった場合、その発信信号を一時的に保留状態にし、サービス圏内に入ったとき保留状態を解除して発信要求を行うよう制御する制御手段を備えている。
【０００７】
さらに、携帯電話機の使用環境情報は、転送サービス、発着信規制、通話中着信、電話番号通知等のサービスである。
【０００８】
【発明の実施の形態】以下、本発明の一実施例について図面を用いて説明する。図１に示すように、携帯電話機１には無線通信部１６、着信通知部１７、計時部１８、内蔵メモリ部１９、制御装置１５が設けられている。無線通信部１６は、無線基地局２０を介してインターネットや公衆回線網等の交換局２１との間で通話や各種情報の送受信を行うものである。
【０００９】
着信通知部１７は、無線基地局２０から無線通信部１６に通話の着信や情報の受信がなされた場合に、携帯電話機１の使用者に、音、振動、光等により着信や受信を報知するものである。
【００１０】
計時部１８は、内蔵クロックに基づいて現在時刻を管理するものである。内蔵メモリ部１９は、各種の情報を記録・保存するためのものであり、また、制御装置１５の指示に基づいて、表示部１１等の各部に各種の情報を出力するものである。
【００１１】
表示部１１は、制御装置１５の指示に基づいて各種の情報を表示するものである。マイクロフォン１３およびスピーカ１２は、無線通信部１６を介して公衆回線網との間で通話を行うものである。
【００１２】
図３は使用者毎の使用環境情報（以下、付加サービスという）と使用者リストの関係を説明した図である。図３において、使用者リストには本発明の携帯電話機を使用することができる利用者の氏名が登録されており、利用者が使用する前にその利用者の氏名が使用者リストに登録されているかどうかを判断するために使用される。
【００１３】
次に、使用者リストに登録されている使用者１または使用者２が本発明の携帯電話機を使用するときの付加サービスがそれぞれ示されている。付加サービスの項目として、付加サービス種別１、付加サービス種別２、情報内容および使用の有無という４種類の項目があり、使用者１または使用者２の付加サービスの登録内容は図３で示されているとおりである。
【００１４】
ここでの差分情報とは、例えば、使用者１の使用環境で使用されているときに次に使用者２の方が新しく同じ携帯電話機を使用するときには図３に登録されている情報をすべて登録する必要はなく、登録されている使用者１の登録内容と使用者２の登録内容とを比較し、その異なっている内容のことである。つまり、ここでは、差分情報とは以下の項目であり、この情報だけを登録すればよい。
【００１５】
▲１▼　発信規制　　規制レベル１　　　　　　　　　　　　　　　　有り
▲２▼　発信規制　　規制レベル２　　　　　　　　　　　　　　　　無し
▲３▼　着信規制　　規制レベル２　　　　　　　　　　　　　　　　有り
▲４▼　転送　　　　話し中　　　　　　　　　　　　　　　　　　　無し
▲５▼　転送　　　　圏外、電源切　転送先番号：４４４５５５６６６
▲６▼　通話中着信　　　　　　　　　　　　　　　　　　　　　　　有り
【００１６】
図２および図３にもとづいて動作説明を行う。利用者が携帯電話機１を使用するときに内蔵メモリ部１９に格納されている使用者リストにその利用者の氏名が登録されているかどうかを判断し（ステップＳ１）、利用者の氏名が使用者リストに登録済であるときには、その利用者の付加サービスが内蔵メモリ部１９に登録済みであるかどうかを判断する（ステップＳ２）。
【００１７】
利用者が使用者リストに登録されていないとき（ステップＳ１）、または、その利用者の付加サービスが登録済でないときには（ステップＳ２）、利用者に付加サービスの状態を表示部１１に表示させる（ステップＳ１０）。
【００１８】
登録済のときには、利用者の付加サービスを内蔵メモリ部１９から読み出すための処理を行う（ステップＳ３）。読み出された付加サービスと現在、使用している付加サービスとが違うかどうかを判断し（ステップＳ４）、違うときにはこの携帯電話機１がサービス圏内であるかどうかを判定する（ステップＳ５）。
【００１９】
サービス圏内でないときには付加サービスを内蔵メモリ部１９に一時的に保存する（ステップＳ９）。一方、サービス圏内であるときには交換局２１のデータベースに対して付加サービスの登録要求を行う（ステップＳ６）。そして、その付加サービスを内蔵メモリ部１９に保存し（ステップＳ７）、さらに、利用者に付加サービスの状態を表示部１１に表示させる（ステップＳ８）。ここで、発信手段とは前述の登録要求手段を含むこともある。
【００２０】
【発明の効果】本発明は、一台の携帯電話機を複数の利用者が使用するときにそれぞれの利用者が使用する環境が異なるために新しく使用する利用者の使用環境と現在、携帯電話機に登録されている使用環境とを比べて、異なるときにはその差分情報だけを発信するようにしたので、直前の利用者が登録中のサービスを解除、又は変更し忘れることを防ぐことができる。また、差分情報だけを発信するために処理時間を短縮することができる。
【００２１】
また、請求項２記載の発明によれば、発信手段によって発信要求が行われたときにサービス圏外であった場合、その要求信号を一時的に保留状態にし、サービス圏内に入ったとき保留状態を解除して発信要求を行うよう制御する制御手段を備えているために利用者が発信要求を行う場合にサービス圏外であるかどうかを意識することなくいつでも発信要求を行うことができるとともにサービス圏内に入ればすぐに自分の環境で携帯電話機を使用することができる。
【００２２】
さらに、請求項３記載の発明によれば、使用環境情報は転送サービス、発着信規制、通話中着信、電話番号通知等のサービス情報であるために利用者は目的に応じて所望のサービスを選択することができる。
【図面の簡単な説明】
【図１】本発明の携帯電話機の一例であるブロック図である。
【図２】本発明の携帯電話機の動作状態を説明したフローチャートである。
【図３】本発明の携帯電話機において、使用者毎の使用環境情報と使用者リストの関係を説明した図である。
【符号の説明】
１　携帯電話機
１１　表示部
１２　スピーカ
１３　マイクロフォン
１４　操作キー
１５　制御装置
１６　無線通信部
１７　着信通知部
１８　計時部
１９　内蔵メモリ部
２０　無線基地局
２１　交換局
【図１】
2004147111.tif 000003
【図２】
2004147111.tif 000004
【図３】
2004147111.tif 000005